(57)【要約】【課題】半自動で物品のスライドによる開閉を行う、スライド装置の構造を提供する。【解決手段】メインスライド部１と軸部２とバネ３と縦スライド部４とより構成し、メインスライド部を携帯電話機などの携帯機器の本体側に連結し、縦スライド部を開閉する蓋側に連結する。  蓋をスライド開閉させるとき、図において縦スライド部４が上方にスライドして軸部２軸栓２３の横溝１３に沿ってスライドして横向きとなり、バネ３が圧縮される。蓋を閉めるときはこのバネの圧縮力からの反発により半自動的に蓋が反対方向に縦スライド部がスライド移動して蓋が半自動的に閉められる。【選択図】        図２
0003112508.tif 000002
【実用新案登録請求の範囲】
【請求項１】
メインスライド部、軸部、バネ、縦スライド部、により構成されるスライド機構であって、
メインスライド部は、二つのスライド片とその中央付近に垂直に形成されてこれらを連結する横片よりなり、該横片上には更に横溝を具有し、且つ外側には穿孔が設けられてなり、
軸部は、両側にはそれぞれ軸孔が設けられると共に、該軸孔の一つは軸栓が穿設されて該横溝にスライド可能に連結されてなり、
バネは、一端には該横溝にスライド可能に連結された軸栓に掛合されるリングを具有し、もう一端には該穿孔に係合されるフックを具有し、
縦スライド部は、両側が湾曲してメインスライド部側縁に嵌合するスライド溝を形成すると共に、軸部の他の軸孔に嵌合する軸栓に連結される軸孔を形成してなり、
スライド操作によりバネに蓄えた反発力により、自動的にスライド移動させるようにしたことを特徴とするスライド装置の構造。
【請求項２】
該縦スライド部の外縁は折れ曲がってスライドガイドとされていることを特徴とする請求項１記載のスライド装置の構造。
【請求項３】
該縦スライド部上には物品と連結する個所として定位孔を設けてなることを特徴とする請求項１記載のスライド装置の構造。
【請求項４】
該軸栓にはワッシャーを加えることを特徴とする請求項１記載のスライド装置の構造。
【請求項５】
該縦スライド部の各角には物品と連結するための固定孔が設けられていることを特徴とする請求項１記載のスライド装置の構造。
【請求項６】
該メインスライド部、軸部、バネ、縦スライド部、軸栓は、金属により形成されてなることを特徴とする請求項１記載のスライド装置の構造。
【考案の詳細な説明】
【技術分野】
【０００１】
本考案は、携帯電話機などのスライド装置の構造に係り、特にバネと軸をそれぞれある物品の部位に連結させ、該物品の両部位を重ね合わせたり離したりさせるべく、該物品を相互にスライドさせるスライド装置の構造に関わる。
【背景技術】
【０００２】
スライド装置は近日身の周りでしばしば見かけられるようになっている。例えば携帯電話機であるが、二部分に分かれているものがあり、従来では蝶番の構造を利用し、使用する際にはこれらを展開し、使用しない場合はこれらを閉じ合わせるタイプのものがあった。しかし最近では下の本体となる部分、或いは蓋の部分をスライドさせて開けるタイプのものが開発されている。実際には携帯型の物品に限らず、様々な身の回りの物品において、スライドさせることにより使用状態にする、或いは逆に閉じた状態にするものが増えている。
【特許文献１】特開２００４−２９７３３７号公報
【考案の開示】
【考案が解決しようとする課題】
【０００３】
上述のように、スライドさせることで開閉する物品が増えているが、開閉に際してスライド操作を行なう必要があり、簡単な操作で自動や半自動で開け閉めする機構は未だ考案されていない。
そこで使用上の便利さを更に追求するため、半自動で物品のスライドによる開閉を行う本考案のスライド装置の構造を提供する。
【課題を解決するための手段】
【０００４】
主にメインスライド部と軸部とバネと縦スライド部とより構成し、該メインスライド部の中央個所には該メインスライド部に対して垂直に横たわる横片を設け、該横有縁上には横溝を設け、外側には更に穿孔を設け、該軸部においては、両側に軸孔を設け、軸栓を該軸孔と該横溝に穿設して連結させ、該バネにおいては、一端にリング状の個所を設け、該リングは該横溝の軸栓に掛け合わせ、もう一端のフック状の部位を該穿孔に係合させ、該縦スライド部においては、縦片より構成され、該縦片の両側は湾曲させることでスライド溝を形成し、該スライド片の外側を滑動可能な状態で嵌合させ、該縦片上には更に孔を設けて該軸栓を穿設し、もう一つの軸孔と連結させ、こうすることにより、バネの具有する弾力で力エネルギーが貯まり、該縦スライド部を全ての移動距離の約半分移動させた際、自動で同方向にスライドし続けるようにする。
【考案の効果】
【０００５】
バネを使用することにより、物品をスライドさせて開閉するのが半自動的に行われ、スライドすることでの開閉が更に便利になった。
【考案を実施するための最良の形態】
【０００６】
各図に示すように、本考案のスライド装置の構造は、主にメインスライド部１と軸部２とバネ３とたてスライド部４とより構成される。
該メインスライド部１は片状且つ略H型を呈しており、両側に長細いスライド片１１が設けられる。該スライド片１１は縁が湾曲しているが、公知の構造の範囲になるため、あえて詳しい説明は加えない。更に、該スライド片１１の略中間位置には、これに垂直に横片１２が形成されており、該横片１２の片側には更に横溝１３が設けられている。該横溝１３の外側の該スライド片１１上には穿孔１４が設けられ、外接物との連結個所を提供する。また該スライド片１１上には数個の定位孔１５を設けるが、これらも公知の技術に属するため、詳述しない。
軸部２において、該軸部２は軸片２１より成り、その両端には軸孔２２が設けられ、それぞれ軸栓２３が設けられ、該軸片２１の軸孔２２が該軸栓２３によって該横溝１３に滑動可能な状態で定位されるようにする。また他の軸孔２２はもうひとつの軸栓２３を穿設して該スライド部４上に連結される、その際必要により該軸栓２３にはワッシャー２４を加えてもよい。
該バネ３は、その一端にてリング３１が設けられ、もう一端には折れ曲がったフック部３２が設けられる。該フック部３２は該スライド片１１の穿孔１４に係合して定位する。
該縦スライド部４は、縦片４１より構成され、該縦片４１の両端縁は折れ曲がってスライド溝４２が形成されており、該スライド溝４２のサイズにおいては、該スライド片１１の側縁を収容、嵌合してスライドできる構成とする。また、該軸栓２３が該軸部２に穿設及び固定されるべく、該縦片４１上には更に孔４３を設けると同時に、該縦スライド部４が外接できるよう、該縦片４１の角には固定孔４４を設ける。
本考案の組み立て後は、該フック部３２を該穿孔１４に合わせ、該リング３１を該軸栓２３に合わせる。該軸栓２３が該軸片２２を穿設し、且つ該縦スライド部４は該スライド溝４２により、該スライド片１１の外側部位にて滑動可能な状態で嵌合し、同時に該軸片２１のもう一つの軸孔２２が該軸栓２３により、該ワッシャー２４を穿設した後、該孔４３を穿設して定位される。
【０００７】
図２，３に示すように、本考案実施において、メインスライド部１は物品の本体部分に連結し、該スライド部２を該物品の蓋に相当する部分に連結する。こうすることで、該蓋が該本体部分に対してスライドするが、図２，３に示すように、該縦スライド部４が該メインスライド部１より外側に離れた状態となっているとき、蓋は即ちしまった状態となる。
図４に示すように、該縦スライド部４が外側に押される力を受けるとき、該バネ３は該軸部２の動きにより圧縮されて力を蓄えた状態となる。該縦スライド部４が該メインスライド部１に重なったとき、且つ該横溝１３の軸部２至端が該軸線２３と共に該横溝１３の最も外側へと向かって移動したとき、つまり該軸片２１が該横溝１３と平行状態を呈した際、該バネ３の反撥力が最大となり、わずかに力を施すことにより、該バネ３は自身の弾力によって外側に反撥する運動をする。これにより、該軸部２の軸栓２３が該横溝１３の内側に動き、該スライド部４が該メインスライド部１と重なり、これを物品に対して実施すると、物品は開いた、即ち操作可能な状態を呈すことになる。
逆に物品を閉め合わせようとする際、該縦スライド部４が全距離の半分以上スライドすると、該軸部２が該バネ３の弾力により自動的に元の位置に戻り、つまり蓋が閉まった状態となる。
また本考案を実施する際は、物品との連結によって決まるが、該縦スライド部４が外側に延伸しているときを操作状態と呼び、手でグリップする側付近に設置するものとする。
【図面の簡単な説明】
【０００８】
【図１】本考案の立体分解図である。
【図２】本考案組み立て後の立体図である。
【図３】本考案の組み立て後の背面図である。
【図４】本考案が中間地点にまでスライドした様子を示す図である。
【図５】本考案が終点にまでスライドした様子を示す図である。
【符号の説明】
【０００９】
１  メインスライド部
２  軸部
３  バネ
４  縦スライド部
１１  スライド片
１２  横片
１３  横溝
１４  穿孔
１５  定位孔
２１  軸片
２２  軸孔
２３  軸栓
２４  ワッシャー
３１  リング部
３２  フック部
４１  縦片
４２  スライド溝
４３  孔
４４  固定孔
【図１】
0003112508.tif 000003
【図２】
0003112508.tif 000004
【図３】
0003112508.tif 000005
【図４】
0003112508.tif 000006
【図５】
0003112508.tif 000007